(57)【要約】【課題】インターレース方式で入力される画像データに対して、時系列的若しくは空間的な比較を含む画像処理を行なうにあたって、処理精度の向上を図る。【解決手段】入力されたインターレース方式の画像データを、Ｉ／Ｐ変換処理部１１にてプログレッシブ方式の画像データに変換し、Ｉ／Ｐ変換処理部１１によってプログレッシブ方式に変換された画像データに対して、画像処理部１２にて時系列的または空間的なデータ比較を含む画像処理を施す。【選択図】図１
2008187736.tif 000002
【特許請求の範囲】
【請求項１】
インターレース方式の画像データが入力され、該画像データに対して時系列的または空間的なデータ比較を含む画像処理を施す画像処理回路において、
入力されたインターレース方式の画像データを、プログレッシブ方式の画像データに変換するＩ／Ｐ変換手段と、
上記Ｉ／Ｐ変換手段によってプログレッシブ方式に変換された画像データに対して、画像処理を施す画像処理手段とを備えており、
上記Ｉ／Ｐ変換手段は、インターレース方式の画像データの各フィールドで新たなデータを作成して補間することで、インターレース方式の画像データからプログレッシブ方式の画像データへの変換時に全画像データのフィールド数を変化させないものであると共に、Ｉ／Ｐ変換処理によってデータが補間されるラインは、少なくとも、その副走査方向の前後の１または複数のラインのデータを用いた演算によってデータが与えられるものであることを特徴とする画像処理回路。
【請求項２】
上記画像処理手段は、時系列的なデータ比較を含む画像処理を施すものであり、
上記Ｉ／Ｐ変換手段は、１または複数のフィールド分のデータを用いて、現フィールドの画像データと前フィールドの画像データとを作成し、補間データの追加された前フィールドおよび現フィールドの画像データを後段の画像処理手段に対して同時に出力することを特徴とする請求項１に記載の画像処理回路。
【発明の詳細な説明】
【技術分野】
【０００１】
本発明は、インターレース形式の画像データの入力を受け、該画像データに対して時系列的若しくは空間的なデータ比較を含む画像処理を行なう画像処理回路、画像表示装置、並びに画像処理方法に関するものである。
【背景技術】
【０００２】
従来、画像表示装置に入力される画像データは、表示部においてより良い表示品位を得るために種々の画像処理が施されてから、表示部に供給されることが多い。このような画像処理としては、オーバーシュート駆動に係る画像処理、ホワイトバランス補正処理、色補正処理等がある。
【０００３】
オーバーシュート駆動とは、累積応答する液晶パネルにおける応答速度の向上を図るための駆動方法である。オーバーシュート駆動に係る画像処理としては、前フィールドの画像データにおける階調値と現フィールドの画像データにおける階調値とを比較し、その比較結果に応じて、現フィールドにおいて液晶画素に印加する電圧、すなわち、現フィールドの画像データにおける濃度値を変換する処理が行なわれる。つまり、オーバーシュート駆動に係る画像処理では、時系列的に連続するフィールドの画像データに関するデータ比較が含まれる。
【０００４】
ホワイトバランス補正処理とは、液晶パネルの透過率に応じてＲ（レッド），Ｇ（グリーン），Ｂ（ブルー）の階調データを独立に調整する画像処理である。すなわち、液晶パネルでは、画素の透過率を変化させると波長分散のため、ＲＧＢ輝度のバランスが変化してしまうため、このバランス変化をホワイトバランス補正によって修正することが必要である。また、液晶パネルによるカラー表示では、一つのカラー画素においてＲ，Ｇ，Ｂ各色の副画素が配列されているため、ホワイトバランス補正処理ではこれらの副画素における階調値の比較が必要である。つまり、ホワイトバランス補正処理では、空間的に連続する画素のデータ比較が含まれる。
【０００５】
また、色補正処理とは、画像表示装置のデバイス特性によって映像の送り手が想定している色とは異なった色が表示されてしまう不具合を回避するために行なわれる画像処理である。色補正処理では、各画素のＲＧＢ信号を参照し、ホワイトバランスを崩すこと無しに補正されＲＧＢ信号を出力するようにする。上記色補正処理においても、Ｒ，Ｇ，Ｂ各色に対応して配列される副画素における階調値の比較が必要であり、空間的に連続する画素のデータ比較が含まれる。また、色補正処理では、時系列的なデータ比較が含まれる場合もある。
【０００６】
このように、画像処理では、入力される画像データの時系列的若しくは空間的なデータ比較を必要とする処理があり、時系列的な処理を施す画像処理回路は、例えば、図１６に示すような構成となる。
【０００７】
図１６に示す画像処理回路では、画像データが入力されると、該画像データは最初に２つ以上に分岐され（図では、２つに分岐）、一つは直接画像処理部１０１へ入力され、もう一方は、一旦メモリ１０２に保存された後、１フィールド遅れて画像処理部１０１へ入力される。
【０００８】
すなわち、上記画像処理回路では、画像処理部１０１に直接入力される方の画像データが現フィールドを示すデータとなり、メモリ１０２を介して画像処理部１０１に入力される方の画像データが前フィールドを示すデータとなる。画像処理部１０１では、入力された現フィールドの画像データと前フィールドの画像データとが比較され、その比較の結果、現フィールドの画像データが変換されて表示部へ出力される。
【０００９】
一方、画像表示装置において入力される画像データとして、インターレース方式の画像データ（以下、インターレース信号と称する）が入力されることがある。インターレース信号では、図１７に示すように、各フィールド画像において１走査線おきにデータが存在する信号が入力され、さらに、連続する２フィールドの画像データでは、データの存在するラインが垂直方向に１ラインずつずれたものとなっている。
【発明の開示】
【発明が解決しようとする課題】
【００１０】
ところが、インターレース信号が入力される画像処理回路において、上述のような時系列的なデータ比較を必要とする画像処理を行なおうとする場合には、図１７に示すように、連続する２フィールド（前フィールドおよび現フィールド）の画像データにおける比較ラインの不一致が生じる。
【００１１】
すなわち、現フィールドにおけるＮライン目の信号を、前フィールドの信号と比較しようとする場合、本来は、前フィールドにおいてもＮライン目の信号を用いなければならないはずである。しかしながら、インターレース信号では、連続する２フィールドの画像データでは、データの存在するラインが垂直方向に１ラインずつずれているため、現フィールドにおいてＮライン目のデータが存在する場合、前フィールドにおいてはＮライン目のデータが存在しない。
【００１２】
したがって、インターレース信号が入力される画像処理回路では、同一ラインでのデータ比較は不可能であり、垂直方向に１ライン分ずれたライン同士でデータ比較が実施されることとなり、表示品位の著しい劣化や、場合によっては表示における誤動作を引き起こす要因となる。
【００１３】
また、画像処理回路が空間的なデータ比較を行なう場合であっても、近年の画像処理装置では、高精細で鮮やかな表示が求められており、画像表示装置の表示能力を限界まで引きだす画像処理が要求されている。
【００１４】
ここで、ＣＲＴ（Cathode-Ray Tube） のようなコントラストが高く、階調による色変化を伴わないデバイスでは信号精度を上げる（例えば、８ｂｉｔ）ことによって精細感を高めることができるが、ＬＣＤ（Liquid Crystal Display）のような色再現性が比較的乏しいデバイスでは、単なる１画素の色を周辺との関わり無しに補正すると、画像全体中でのバランスを崩すことがある。
【００１５】
このため、このような問題を回避するためには、ホワイトバランス補正処理や色補正処理など、空間的なデータ比較を含む画像処理において、隣接する画素間（隣接する走査ライン上に存在するものを含む）での色比較を行い画像のバランスを考慮した補正を行なう必要がある。
【００１６】
しかしながら、この場合、画像処理回路に入力される画像データがインターレース信号である場合には、隣接するライン同士でデータ比較しようとする時に、比較されるべき画像データの一部が同一フィールド内に存在しない場合がある。このため、画像処理の精度が低くなるといった問題がある。
【００１７】
本発明は、上記の問題点を解決するためになされたもので、その目的は、インターレース方式で入力される画像データに対して、時系列的若しくは空間的な比較を含む画像処理を行なうにあたって、処理精度の向上を図ることができる画像処理回路、画像表示装置、並びに画像処理方法を提供することにある。
【課題を解決するための手段】
【００１８】
本発明の画像処理回路は、上記の課題を解決するために、インターレース方式の画像データが入力され、該画像データに対して時系列的または空間的なデータ比較を含む画像処理を施す画像処理回路において、入力されたインターレース方式の画像データを、プログレッシブ方式の画像データに変換するＩ／Ｐ変換手段と、上記Ｉ／Ｐ変換手段によってプログレッシブ方式に変換された画像データに対して、画像処理を施す画像処理手段とを備えており、上記Ｉ／Ｐ変換手段は、インターレース方式の画像データの各フィールドで新たなデータを作成して補間することで、インターレース方式の画像データからプログレッシブ方式の画像データへの変換時に全画像データのフィールド数を変化させないものであると共に、Ｉ／Ｐ変換処理によってデータが補間されるラインは、少なくとも、その副走査方向の前後の１または複数のラインのデータを用いた演算によってデータが与えられるものであることを特徴としている。
【００１９】
上記の構成によれば、インターレース方式で入力される画像データに対して画像処理を行なうにあたって、画像処理手段による画像処理の前に、Ｉ／Ｐ変換手段によってインターレース方式の画像データがプログレッシブ方式の画像データに変換される。すなわち、画像処理手段では、プログレッシブ方式の画像データに対して画像処理が施される。
【００２０】
ここで、上記画像処理手段における画像処理が時系列的なデータ比較を含むものである場合、インターレース信号を用いて画像処理を行なう場合のように、連続する２フィールドの画像データの異なるラインのデータを比較するといった不具合が生じず、異なるラインのデータを比較することによって生じる画像劣化を回避できる。
【００２１】
また、上記画像処理手段における画像処理が空間的なデータ比較を含むものである場合、入力される画像データがインターレース信号であれば、隣接するライン同士でデータ比較しようとする時に、比較されるべき画像データの一部が同一フィールド内に存在しない場合があり、この場合には画像処理の精度が低くなる。
【００２２】
これに対し、本発明の構成によれば、空間的なデータ比較を含む画像処理においても、画像処理手段の前段にＩ／Ｐ変換手段を置くことで、全てのラインでデータの抜けの無いプログレッシブ信号を用いて画像処理を行なうことができ、画像処理の精度を向上させることができる。
【００２３】
また、上記Ｉ／Ｐ変換において最も簡単な方法は、連続する２フィールドのインターレース信号を重ね合わせ１フィールドのプログレッシブ信号とする方法や、あるいは、インターレース信号においてデータの存在しないラインの前ラインもしくは後ラインの隣接ラインのデータをそのままコピーして補間する方法である。
【００２４】
しかしながら、これらの方法では、最初に入力されるインターレース信号において既に存在しているデータがそのまま用いられており、Ｉ／Ｐ変換処理によって新たなデータが作成されているものではないため、画像処理の精度向上といった目的は達成できない、若しくは効果が小さい。
【００２５】
したがって、上記Ｉ／Ｐ変換手段では、インターレース方式の画像データの各フィールドで新たなデータを作成して補間することで、インターレース方式の画像データからプログレッシブ方式の画像データへの変換時に全画像データのフィールド数を変化させないようにすると共に、Ｉ／Ｐ変換処理によってデータが補間されるラインが、その副走査方向の前後の１または複数のラインのデータを用いた演算によってデータが与えられる構成とすることで、画像処理の精度向上といった効果を確実に得ることができる。
【００２６】
また、上記画像処理回路では、上記画像処理手段は、時系列的なデータ比較を含む画像処理を施すものであり、上記Ｉ／Ｐ変換手段は、１または複数のフィールド分のデータを用いて、現フィールドの画像データと前フィールドの画像データとを作成し、補間データの追加された前フィールドおよび現フィールドの画像データを後段の画像処理手段に対して同時に出力する構成とすることができる。
【００２７】
上記の構成によれば、現フィールドの画像データに対するＩ／Ｐ変換処理と前フィールドの画像に対するＩ／Ｐ変換処理とが、同一のＩ／Ｐ変換手段によって行われ、かつ、Ｉ／Ｐ変換手段によって作成された（補間データの追加された）前フィールドおよび現フィールドの画像データが後段の画像処理手段に対して同時に出力される、すなわち、画像処理手段における画像処理に用いられる前フィールドおよび現フィールドの画像データの入力にタイムラグが発生しない。
【００２８】
したがって、画像処理手段に対して前フィールドおよび現フィールドの画像データの入力を同期させるためのデータ遅延用のメモリ等が必要なくなるため、メモリのコストダウンの効果に加えて、画像処理回路の回路構成も簡略化することができる。
【発明の効果】
【００２９】
本発明の画像処理回路は、以上のように、入力されたインターレース方式の画像データを、プログレッシブ方式の画像データに変換するＩ／Ｐ変換手段と、上記Ｉ／Ｐ変換手段によってプログレッシブ方式に変換された画像データに対して、画像処理を施す画像処理手段とを備えており、上記Ｉ／Ｐ変換手段は、インターレース方式の画像データの各フィールドで新たなデータを作成して補間することで、インターレース方式の画像データからプログレッシブ方式の画像データへの変換時に全画像データのフィールド数を変化させないものであると共に、Ｉ／Ｐ変換処理によってデータが補間されるラインは、少なくとも、その副走査方向の前後の１または複数のラインのデータを用いた演算によってデータが与えられる構成である。
【００３０】
それゆえ、画像処理手段では、プログレッシブ方式の画像データに対して画像処理が施される。ここで、上記画像処理手段における画像処理が時系列的なデータ比較を含むものである場合、異なるラインのデータを比較することによって生じる画像劣化を回避できるという効果を奏する。
【００３１】
また、上記画像処理手段における画像処理が空間的なデータ比較を含むものである場合、全てのラインでデータの抜けの無いプログレッシブ信号を用いて画像処理を行なうことで、画像処理の精度を向上させることができるという効果を奏する。
【００３２】
また、上記Ｉ／Ｐ変換手段では、インターレース方式の画像データの各フィールド内で新たなデータを作成して補間することで、インターレース方式の画像データからプログレッシブ方式の画像データへの変換時に全画像データのフィールド数を変化させないようにすると共に、Ｉ／Ｐ変換処理によってデータが補間されるラインが、その前後のラインのデータを用いた演算によってデータが与えられる構成とすることで、画像処理の精度向上といった効果を確実に得ることができるという効果を奏する。
【発明を実施するための最良の形態】
【００３３】
本発明の実施の一形態について図１ないし図１５、図１８ないし図２１に基づいて説明すれば、以下の通りである。
【００３４】
本実施の形態では、ＴＦＴ（Thin Film Transister）液晶パネルを備えた液晶表示装置において、オーバーシュート駆動を行なう場合を例示して説明を行なう。
【００３５】
図２に示すように、ＴＦＴ液晶パネル１は、画面縦方向に平行に並んだ複数のソースバスライン２…と、上記ソースバスライン２…と直交するように画面横方向に平行に並んだ複数の走査ライン３…とを備えており、各ソースバスラインと走査ラインとの交点に対応してスイッチング素子であるＴＦＴ６（図３参照）を介して画素７（図３参照）が配置されている。ソースバスライン２…はパネル端にてソースドライバ４に接続され、走査ライン３…はパネル端にてゲートドライバ５に接続されている。
【００３６】
上記ＴＦＴ液晶パネル１の表示においては、ゲートドライバ５から走査信号を１ラインずつ順次出力することにより、各走査ライン３に接続されるＴＦＴ６…を走査ライン３毎に順次ＯＮさせ、ソースドライバ４で階調データに応じた階調電圧を各走査ライン３に対応する各画素７に書き込んでいく。
【００３７】
各画素７の簡単な構造は、図３のような構成になっており、ＴＦＴ６がＯＮ（ゲートＯＮ）の時、ＴＦＴ６のソース電極に印加されるデータ階調電圧がＴＦＴ６のドレイン電極を介して画素７を構成する一方の電極（画素電極）に印加される。また、画素７を構成する他方の電極は全画素に共通の共通電極８となっている。画素７に印加された電圧により液晶が応答して表示させたい輝度となる。
【００３８】
各画素７の液晶分子は、その誘電異方性により、電圧印加時に液晶分子長軸方向（ダイレクター）の向きを変化させ、その光学異方性により液晶を透過する光の偏光方向を変化させる。これにより、液晶を透過する光の光量を制御し、光の階調表現を行っている。この時、各画素に印加される電圧値が各階調毎に設定されており、液晶パネル１の１画素毎に、表示させたい階調の電圧がＴＦＴ６を介して１フレーム毎に印加されることで画像表示が行なわれる。
【００３９】
各画素７に印加された電荷はＴＦＴ６がＯＦＦした後も保持される。すなわち、次のフレームに再び階調電圧が印加されるまで、階調電圧印加時の電荷が保持される。
【００４０】
しかしながら、階調輝度変化時の電圧印加では、各画素７において電荷は保持されるが、液晶誘電率の変化により電圧は変化してしまう。すなわち、階調輝度変化を行う場合、液晶分子ダイレクターの方向は前フレームの階調輝度を表示する方向を向いている。ここに、新たな階調データに対応する電圧が印加されると、それに伴い誘電異方性により液晶分子の向きが変化し、それに伴う光学特性の変化により階調輝度が変わる。
【００４１】
ネマチック液晶の場合、液晶分子の応答速度は表示モードによって異なるが、およそ数ms〜数十msのオーダーであり、ＴＦＴ６がＯＦＦした後も応答することになる。ここで、液晶分子はその誘電異方性によりその向きを変化させるので、必然的に液晶の誘電率が変化し電極間の容量が変化することになる。
【００４２】
液晶分子の方向の変化により、電極間液晶分子の誘電率が変化すると、蓄えられた電荷による電圧値も１フレーム内で変わることになる。つまり、液晶分子自身が１フレーム内で応答する特性を有していても、階調の変化時に通常の階調電圧を印加していたのでは、１フレーム内でその電圧が変わってしまい、表示させたい階調輝度を得ることができず、３フレーム程度の周期が必要となってしまう。この誘電率の変化に伴う電圧の変化は、液晶の誘電率の変化分を加味した電圧を印加する駆動、すなわちオーバーシュート駆動によって補正することが可能である。
【００４３】
階調変化時に印加する適切な電圧値は、その階調間での容量比倍だけ電圧を付加して印加すれば、液晶が応答したあとに表示したい階調電圧となる（実際は液晶の応答速度などによりその電圧値は変化する）。
【００４４】
以下に、説明を簡単にするため、ゲートＯＮ時に液晶分子がほとんど応答せず、フレームの期間内には液晶分子の応答が完了すると仮定した場合のオーバーシュート駆動の例を説明する。
【００４５】
階調が２５６の場合、０，１，２，…，ｎ，…，ｍ，…，２５５階調のときの階調電圧をそれぞれ、Ｖ０，Ｖ１，Ｖ２，…，Ｖｎ，…，Ｖｍ，…，Ｖ２５５とし、それぞれの諧調における画素７の電極間の容量をＣ０，Ｃ１，Ｃ２，…，Ｃｎ，…，Ｃｍ，…，Ｃ２５５とする。
【００４６】
ある画素にｎ階調が表示されているとすると、この時には電極間電圧はＶｎであり、電極間の容量はＣｎである。この時、次のフレームでｍ階調の表示をする場合、蓄えなければならない電荷Ｑは
Ｑ＝Ｃｍ×Ｖｍ  …  （１）
である。しかしながら、この場合、容量がＣｎからＣｍへ変化する前にＴＦＴ６がＯＦＦになるため、電圧Ｖｍを印加した場合に実際に電極間に蓄えられる電荷Ｑ’は、
Ｑ’＝Ｃｎ×Ｖｍ  …  （２）
となってしまう（ゲートＯＮ時に液晶分子がほとんど応答しないと仮定した場合）。
【００４７】
つまり、ｎ階調の表示後、ｍ階調の表示に必要な電荷Ｑを蓄えるために、画素７に印加しなければならない電圧Ｖ’は、
Ｑ＝Ｃｎ×Ｖ’＝Ｃｎ×（Ｃｍ／Ｃｎ×Ｖｍ）  …（３） が成り立つことより、
Ｖ’＝Ｃｍ／Ｃｎ×Ｖｍ  …（４）
となる。
【００４８】
この電圧Ｖ’を印加することにより、あらゆる階調変化においても所望の階調に１フレーム内に到達させることができる。したがって、オーバーシュート駆動は液晶の高速動画性能の向上に非常に有効である。
【００４９】
また、上記式（４）より、この電圧Ｖ’を得るためには、現フィールドの階調データと前フィールドの階調データとを比較する必要があることが分かる。上記比較を行なう比較回路はルックアップテーブルを用いる構成、演算処理回路による構成、あるいは、上記２つを混在させた回路構成が考えられる。また、比較回路にて比較される画像データは、Ｒ（レッド），Ｇ（グリーン），Ｂ（ブルー）表色系で表された信号であってもよく、あるいは、Ｙ（輝度），Ｃ（色度）で表された信号での比較も考えられる。
【００５０】
次に、本実施の形態に係る画像処理回路の構成を図１に示す。上記画像処理回路は、インターレース信号による画像データを受けて、該画像データに画像処理を施すものであり、Ｉ／Ｐ（インターレース／プログレッシブ）変換処理部（Ｉ／Ｐ変換手段）１１、画像処理部（画像処理手段）１２を備えている。また、必要に応じてＰ／Ｉ（プログレッシブ／インターレース）変換処理部１３を備えていても良い。
【００５１】
上記画像処理回路では、入力されるインターレース信号に対して、画像処理部１２での画像処理を施す前に、Ｉ／Ｐ変換処理部１１にてインターレース信号からプログレッシブ信号への変換が行なわれる。ここで行なわれるＩ／Ｐ変換は、図４に示すように、インターレース信号においてデータの存在しないラインにデータを補間し、全てのラインにおいてデータの抜けがないプログレッシブ信号に変換する処理である。
【００５２】
上記プログレッシブ信号が入力された画像処理部１２では、時系列的なデータ比較を含む画像処理を行なう場合、インターレース信号を用いて画像処理を行なう場合のような連続する２フィールドの画像データの異なるラインのデータを比較することによって生じる画像劣化を回避できる。これを図５を参照して説明すると以下の通りである。
【００５３】
すなわち、インターレース信号では、連続する２つのフィールド（現フィールドおよび前フィールド）において、例えば、現フィールドのＮ，Ｎ＋２，Ｎ＋４ラインにデータが存在する場合にはＮ＋１，Ｎ＋３ラインにデータが存在しないことになる。そして、前フィールドでは、逆に、Ｎ＋１，Ｎ＋３ラインにデータが存在し、Ｎ，Ｎ＋２，Ｎ＋４ラインにデータが存在しない。このため、インターレース信号の現フィールドと前フィールドとでは、同一ラインについてのデータ比較は行なえないが、プログレッシブ信号では、図５に示すように、データ補間によって現フィールドおよび前フィールドの全てのラインにデータが存在しているため、同一ラインについてのデータ比較が可能である。
【００５４】
また、画像処理部１２において、空間的なデータ比較を含む画像処理が行なわれる場合であっても、上記Ｉ／Ｐ変換処理によって補間されたデータにより、より多くのデータを用いて画像処理を行なうことができるため、画像処理の精度が向上する。
【００５５】
但し、Ｉ／Ｐ変換処理としては種々の方法が存在するものであり、上記Ｉ／Ｐ変換処理部１１にて行なわれるＩ／Ｐ変換処理では、その全ての方法が有効といえるわけではない。
【００５６】
例えば、上記Ｉ／Ｐ変換において最も簡単な方法は、図６に示すように、連続する２フィールドのインターレース信号（２ｍ−１フィールドおよび２ｍフィールド）を重ね合わせ１フィールドのプログレッシブ信号（ｍフィールド）とする方法や、あるいは、図７に示すように、インターレース信号においてデータの存在しないラインの前ラインもしくは後ラインの隣接ラインのデータをそのままコピーして補間する方法である。しかしながら、これらの方法では、最初に入力されるインターレース信号において既に存在しているデータがそのまま用いられており、Ｉ／Ｐ変換処理によって新たなデータが作成されているものではない。
【００５７】
上記Ｉ／Ｐ変換処理部１１にて実施される画像処理として、上記図６および図７に示す方法を用いた場合は、画像処理の精度向上といった目的は達成できない、若しくは効果が小さい。これを以下に説明する。
【００５８】
Ｉ／Ｐ変換処理部１１において図６の方法が適用される場合、画像処理部１２で比較される連続した２フィールドのプログレッシブ信号は、同一ラインでのデータ比較を行なうことが可能である。しかしながら、ここで比較されるデータは、変換前のインターレース信号で考えた場合、実質的には２フィールド離れたデータでの比較が行なわれていることとなる。すなわち、この場合には、時間軸上の距離が離れたデータでの比較が行なわれることになり、画質劣化の要因となる。
【００５９】
また、Ｉ／Ｐ変換処理部１１において図７の方法が適用される場合、画像処理部１２で比較される連続した２フィールドのプログレッシブ信号は、見かけ上は同一ラインでのデータ比較が行なわれている。しかしながら、実際には、画像処理部１２で比較される一方のデータは、インターレース信号上でデータの存在しないラインに対し、その前後何れかの隣接ラインのデータがコピーされた補間データである。このため、実質的には、図１７に示した場合と同様、現フィールドおよび前フィールドでは１ラインずれたデータが比較されることとなり、画質劣化の要因となる。
【００６０】
したがって、本実施の形態に係るＩ／Ｐ変換処理部１１では、適用されるＩ／Ｐ変換処理は、インターレース信号の各フィールドで新たなデータを作成して補間することで、インターレース信号からプログレッシブ信号への変換においてフィールド数を変化させないようになっている。さらに、空間的には、Ｉ／Ｐ変換処理によってデータが補間されるラインは、その副走査方向の前後のライン（前後とも複数ラインにわたってもよい）のデータを用いた演算によってデータが与えられるものとなっている。尚、インターレース信号にて表されているフィールドのデータにおいて、データの存在する各ラインまたはデータの存在しない各ラインは、主走査方向に沿ったライン、すなわち走査線であるため、空間的なＩ／Ｐ変換処理によってデータが補間されるラインは、副走査方向の前後のラインのデータを用いて補間データが演算されることとなる。
【００６１】
図１８に示す例では、現フィールドのＮラインにおいてデータを補間するために、Ｉ／Ｐ変換前のインターレース信号の画像データにおける前後２ライン分のデータ（すなわち、Ｎ−３，Ｎ−１，Ｎ＋１，およびＮ＋３ラインのデータ）を用いた演算によって補間データを求めている。
【００６２】
しかしながら、本願発明はこれに限定されるものではなく、データが補間されるラインの前後方向のそれぞれにおいて１ライン以上のラインのデータを用いて演算するものであれば、データの補間演算に用いられるラインの数は限定されない。また、データの補間演算に用いられるラインの数は、データが補間されるラインの前後方向で必ずしも一致しなくてもよい。
【００６３】
また、上記Ｉ／Ｐ変換処理部１１では、現フィールドより前のフィールドのデータをメモリに格納し（方法によっては数フィールド前までのデータを格納する）、時系列的に連続する複数のフィールドのデータを比較して、動き補償を行なったより精度の高いＩ／Ｐ変換処理を行なうことも可能である。もちろん、メモリを用いずに空間的な比較（同一フィールド内でのデータ比較）のみで、Ｉ／Ｐ変換処理を行なっても良い。
【００６４】
Ｉ／Ｐ変換処理部１１において、図１８にて説明したような空間的なデータ比較に加えて、時系列的に連続する複数のフィールドのデータ比較をも行って、動き補償を行なったより精度の高いＩ／Ｐ変換処理を行う場合の具体例を、図１９および図２０に示す。
【００６５】
図１９に示す例では、現フィールドのＮラインにおけるデータを補間するために、同じく現フィールドのＩ／Ｐ変換前のインターレース信号の画像データにおけるＮ−３，Ｎ−１，Ｎ＋１，およびＮ＋３ラインのデータと、前フィールドのＮ−２，Ｎ，およびＮ＋２ラインのデータとを用いた演算によって補間データを求めている。
【００６６】
上記図１９の例では、Ｉ／Ｐ変換処理時のデータ補間において、空間的なデータ比較のために現フィールドのデータを用いると共に、時系列的なデータ比較のために前フィールドのデータをも用いているが、図２０に示すように、時系列的なデータ比較のために、さらに後フィールドのデータを用いてもよい。
【００６７】
図２０に示す例では、現フィールドのＮラインにおけるデータを補間するために、同じく現フィールドのＩ／Ｐ変換前のインターレース信号の画像データにおけるＮ−３，Ｎ−１，Ｎ＋１，およびＮ＋３ラインのデータと、前フィールドのＮ−２，Ｎ，およびＮ＋２ラインのデータと、後フィールドのＮ−２，およびＮ＋２ラインのデータとを用いた演算によって補間データを求めている。
【００６８】
このように、時系列的に連続する複数のフィールドのデータ比較を行って、動き補償を含んだＩ／Ｐ変換処理を行う場合には、データ補間される現フィールドに対して必ずしも前フィールドおよび後フィールドのデータの両方を用いなくともよい。すなわち、図１９の例のように、前フィールドと現フィールドとのデータ比較のみで時系列的なＩ／Ｐ変換を行ってもよい。
【００６９】
また、図１９および図２０の例では、データ補間される現フィールドに対して、該現フィールドの時間軸方向の前後において１フィールド分のデータを用いた例を示している。しかしながら、本発明はこれに限定されるものではなく、時間軸方向の前後のそれぞれにおける複数フィールドのデータを用いてもよい。
【００７０】
さらに、補間データの演算においては、データが補間されるラインの副走査方向の前後のラインのデータ、および時間軸方向の前後のフィールドのデータが用いられるが、実際の演算にあたってはこれらのデータを間引いて用いることも可能である。例えば、図２０に示すように、現フィールドのＮラインのデータの補間演算においては、後フィールドのＮ−２，Ｎ＋２のラインのデータは補間演算に用いられているが、後フィールドのＮラインのデータを間引かれている。
【００７１】
上記画像処理部１２によって画像処理されたデータは、映像表示装置がプログレッシブ信号に対応して表示可能なものであれば、画像処理部１２から出力されるプログレッシブ信号をそのまま映像表示装置へ送出してよい。
【００７２】
しかしながら、現在の映像表示装置のコントローラはインターレース信号のみに対応している場合が多く、この場合は、画像処理部１２から出力されるプログレッシブ信号をＰ／Ｉ変換処理部１３にて再度インターレース信号に変換して映像表示装置へ送出する。
【００７３】
次に、上記画像処理回路の具体例について、図８を参照して以下に説明する。図８に示す画像処理回路は、第１のＩ／Ｐ変換処理部（現フィールドＩ／Ｐ変換部）２１、第２のＩ／Ｐ変換処理部（前フィールドＩ／Ｐ変換部）２２、画像処理部１２を備えている。また、必要に応じて、Ｐ／Ｉ変換処理部１３を備えていてもよい。
【００７４】
上記第１のＩ／Ｐ変換処理部２１および第２のＩ／Ｐ変換処理部２２は、画像データとして入力されるインターレース信号にＩ／Ｐ変換処理を施し、プログレッシブ信号に変換して出力する。第１のＩ／Ｐ変換処理部２１は現フィールドのインターレース信号にＩ／Ｐ変換処理を施し、第２のＩ／Ｐ変換処理部２２は前フィールドのインターレース信号にＩ／Ｐ変換処理を施す。
【００７５】
ここで、第２のＩ／Ｐ変換処理部２２に前フィールドのインターレース信号を入力するために、第２のＩ／Ｐ変換処理部２２の前段にはフィールドメモリ（図示せず）が配置されている。画像処理回路に入力された画像データは、最初に２つに分岐され、一つは直接第１のＩ／Ｐ変換処理部２１へ入力されることで現フィールドの画像データとなるが、もう一方は、第２のＩ／Ｐ変換処理部２２の前段で一旦メモリに保存された後、１フィールド遅延させられることにより前フィールドの画像データとされる。
【００７６】
また、図８に示す画像処理回路において、第１および第２のＩ／Ｐ変換処理部２１，２２は、現フィールドおよび前フィールドの画像データに対し、それぞれ個別にＩ／Ｐ変換処理を施すものである。このため、第１および第２のＩ／Ｐ変換処理部２１，２２では、それぞれ異なるＩ／Ｐ変換処理方法を採用することが可能である。
【００７７】
Ｉ／Ｐ変換処理方法には、前述したように、メモリを使用する方法（時系列的な比較を行なう方法）と、メモリを使用しない方法（時系列的な比較を行なわない方法）とがある。そのため、上記画像処理回路では、第１および第２のＩ／Ｐ変換処理部２１，２２のそれぞれで、メモリを使用する場合としない場合とで分けられた以下の４つの構成が考えられる。
(1) 第１および第２のＩ／Ｐ変換処理部２１，２２の両方にメモリを使用しない方法を用いた構成。
(2) 第１および第２のＩ／Ｐ変換処理部２１，２２の両方にメモリを使用する方法を用いた構成。
(3) 第１のＩ／Ｐ変換処理部２１にメモリを使用する方法を用い、第２のＩ／Ｐ変換処理部２２にメモリを使用しない方法を用いた構成。
(4) 第１のＩ／Ｐ変換処理部２１にメモリを使用しない方法を用い、第２のＩ／Ｐ変換処理部２２にメモリを使用する方法を用いた構成。
【００７８】
上記(1)の構成では、第１および第２のＩ／Ｐ変換処理部２１，２２の何れにもメモリを使用しないため低コストの回路化が期待できる。但し、第１および第２のＩ／Ｐ変換処理部２１，２２のそれぞれにおけるＩ／Ｐ変換精度は低く、画像処理部１２における画像処理後の画質も最も低い。
【００７９】
逆に、上記(2)の構成では、第１および第２のＩ／Ｐ変換処理部２１，２２のそれぞれにおけるＩ／Ｐ変換精度は高くなるため、画像処理部１２における画像処理後の画質も最も高くなるが、第１および第２のＩ／Ｐ変換処理部２１，２２の両方にメモリを使用することによる回路のコストアップが招来される。
【００８０】
次に、上記(3)または(4)の構成は、第１および第２のＩ／Ｐ変換処理部２１，２２の一方のみにメモリを用いる構成である。ここで、上記画像処理部１２が特にオーバーシュート駆動に係る画像処理を施すものである場合、画像処理部１２で行なわれるデータ比較は現フィールドの情報が主なため、現フィールドの情報が正確であればかなりの効果が得られる。
【００８１】
そのため、オーバーシュート駆動回路においては、現フィールド用の第１のＩ／Ｐ変換処理部２１にてメモリを用いて精度の高いＩ／Ｐ変換処理を行い、前フィールド用の第２のＩ／Ｐ変換処理部２２ではメモリを省略してコストダウンの効果を図る(3)の構成が、比較的安価な構成で高い画質向上効果が得られるため、最も好ましい構成であるといえる。
【００８２】
一方の(4)の構成は、オーバーシュート駆動回路においては、(3)と同程度の回路規模である（同程度のコスト効果）に関わらず、その画質向上効果は小さい。
【００８３】
また、上述したように、画質向上の効果が最も大きいのは、第１および第２のＩ／Ｐ変換処理部２１，２２の両方にメモリを用いる構成であるが、この時、メモリの数が増加することによる回路のコストアップの問題がある。そこで、第１および第２のＩ／Ｐ変換処理部２１，２２の両方にメモリを用いて画質向上の効果を最大限に発揮すると共に、第１および第２のＩ／Ｐ変換処理部２１，２２で用いられるメモリを共有させ、回路のコストダウンを図ることも可能である。このような構成の画像処理回路について図９を参照して以下に説明する。
【００８４】
図９の構成の画像処理回路では第１のＩ／Ｐ変換処理部（現フィールドＩ／Ｐ変換部）２１’および第２のＩ／Ｐ変換処理部（前フィールドＩ／Ｐ変換部）２２’は、何れもメモリに格納された複数のフィールドの画像データを用いてＩ／Ｐ変換処理を行なうものであり、該Ｉ／Ｐ変換処理で用いられる複数のフィールドの画像データは、共有メモリ（Ｉ／Ｐ変換処理に用いるメモリ）２３において格納される。
【００８５】
第１のＩ／Ｐ変換処理部２１’、第２のＩ／Ｐ変換処理部２２’、および共有メモリ２３によって行なわれるＩ／Ｐ変換処理を図１０を参照して説明すると以下の通りである。尚、図１０は、第１のＩ／Ｐ変換処理部２１’、第２のＩ／Ｐ変換処理部２２’共に、４フィールド分の画像データを用いてＩ／Ｐ変換処理を行なう場合を例示している。
【００８６】
ここで、Ｎフィールドの画像データが入力された時点で考えると、現フィールド用の第１のＩ／Ｐ変換処理部２１’では、（Ｎ−３）〜Ｎフィールドのデータを用いてＩ／Ｐ変換処理が行なわれ、前フィールド用の第２のＩ／Ｐ変換処理部２２’では、（Ｎ−４）〜（Ｎ−１）フィールドのデータを用いてＩ／Ｐ変換処理が行なわれる。
【００８７】
したがって、この場合、共有メモリ２３では、（Ｎ−４）フィールドからＮフィールドまでの５フィールド分の画像データを格納する必要があり、このため該共有メモリ２３は５つのフィールドメモリ２３ａないし２３ｅを備えている。すなわち、図１０の構成では、第１のＩ／Ｐ変換処理部２１’、第２のＩ／Ｐ変換処理部２２’のそれぞれでｍフィールド分の画像データを用いてＩ／Ｐ変換処理を行なう場合に、フィールドメモリの数を２ｍでなく、ｍ＋１とすることができ、メモリ削減によるコストダウンの効果を得ることができる。
【００８８】
また、図１０の構成では、画像データは最初に共有メモリ２３に入力されているが、第１のＩ／Ｐ変換処理部２１’または第２のＩ／Ｐ変換処理部２２’に入力された後、共有メモリ２３に書き込まれる構成であっても良い。また、次のＮ＋１フィールドが入力された時には、Ｎ−４フィールドのデータが格納されているフィールドメモリにおいてデータが書き換えられる。
【００８９】
また、図１０の構成の変形例として図１１の構成も考えられる。図１１の構成では、第１のＩ／Ｐ変換処理部２１’は４フィールド分の画像データを用いてＩ／Ｐ変換処理を行なうものであるが、第２のＩ／Ｐ変換処理部２２’は３フィールド分の画像データを用いてＩ／Ｐ変換処理を行なうものとする。
【００９０】
ここで、Ｎフィールドの画像データが入力された時点で考えると、現フィールド用の第１のＩ／Ｐ変換処理部２１’では、（Ｎ−３）〜Ｎフィールドのデータを用いてＩ／Ｐ変換処理が行なわれ、前フィールド用の第２のＩ／Ｐ変換処理部２２’では、（Ｎ−３）〜（Ｎ−１）フィールドのデータを用いてＩ／Ｐ変換処理が行なわれる。但し、第１のＩ／Ｐ変換処理部２１’および第２のＩ／Ｐ変換処理部２２’では、この時必ずしも（Ｎ−３）〜（Ｎ−１）フィールドの全てのデータを用いてＩ／Ｐ変換処理をする必要はない。
【００９１】
言い換えれば、現フィールド用の第１のＩ／Ｐ変換処理部２１’でｍフィールド（第１のＩ／Ｐ変換処理部２１’の例では、ｍ＝４）のデータを用いてＩ／Ｐ変換処理が行なわれる場合、第２のＩ／Ｐ変換処理部２２’でのＩ／Ｐ変換によっては（ｍ−１）フィールドのデータを用いた都合のよいＩ／Ｐ変換処理がない場合があることも予想される。すなわち、現状のＩＰ変換処理部は、カスタムチップ化されており、特に、フィールド比較によるＩＰ変換を行うものは、８フィールド前まで参照するタイプのものまである。しかしながら、必ずしも１〜８フィールドのタイプまで全てがラインナップされているわけではない。例えば、８（＝ｍ）フィールド前まで参照してＩＰ変換を行う変換回路があったとしても、７（＝ｍ−１）フィールド前まで参照してＩＰ変換を行う変換回路が存在しない場合もありうる。
【００９２】
そのような場合、１以上（ｍ−１）未満のフィールド分のデータを用いたＩ／Ｐ変換を用いても同様の効果が期待できる。
【００９３】
したがって、この場合、共有メモリ２３では、（Ｎ−３）フィールドからＮフィールドまでの４フィールド分の画像データを格納する必要があり、このため該共有メモリ２３は４つのフィールドメモリ２３ａないし２３ｄを備えている。すなわち、図１１の構成では、第２のＩ／Ｐ変換処理部２２’のＩ／Ｐ変換処理で用いるデータのフィールド数を、第１のＩ／Ｐ変換処理部２１’よりも一つ少なくすることにより、図１０の構成よりもさらに１フィールド分のメモリを減らすことができる。
【００９４】
また、図１１の構成のさらに変形例として、Ｉ／Ｐ変換処理部の共有化を図った構成も考えられる。この場合の構成を図１２に示す。図１２の構成では、図１１の構成に比べ第２のＩ／Ｐ変換処理部２２’が省略されており、第１のＩ／Ｐ変換処理部（現フィールドＩ／Ｐ変換部、前フィールドＩ／Ｐ変換部）２１”が前フィールドおよび現フィールドのプログレッシブ信号を出力する構成となっている。
【００９５】
第１のＩ／Ｐ変換処理部２１”において、複数のフィールドの画像データを用いてＩ／Ｐ変換処理を行なう場合、上記複数のフィールドの画像データは、第１のＩ／Ｐ変換処理部２１”に対して同時に入力される必要があるわけではなく、古い側のデータから順次入力されるものである。
【００９６】
すなわち、図１１の構成と同様に、現フィールドにおいては４フィールド分の画像データを用いてＩ／Ｐ変換処理を行ない、前フィールドにおいては３フィールド分の画像データを用いてＩ／Ｐ変換処理を行なう場合、図１２の構成では、先ずＮ−３フィールドからＮ−１フィールドまでのインターレース信号がメモリ２３から第１のＩ／Ｐ変換処理部２１”に入力された時点で前フィールドのプログレッシブ信号を演算して出力し、その後、Ｎフィールドのインターレース信号の入力を受けて現フィールドのプログレッシブ信号を演算して出力することができる。
【００９７】
上記図１２の構成では、メモリの共有によるコスト削減効果のみでなく、Ｉ／Ｐ変換処理部の共有化による画像処理回路の回路構成の簡略化を図ることができる。但し、この場合、第１のＩ／Ｐ変換処理部２１”から出力される現フィールドおよび前フィールドの画像データにタイムラグが生じるため、これらを同期させる構成が必要となる。現フィールドおよび前フィールドの画像データにタイムラグを生じさせず、かつ、Ｉ／Ｐ変換処理部の共有化を実現できる構成としては図１３のような構成が考えられる。
【００９８】
図１３の構成では、画像処理回路に入力される画像データは、最初にＩ／Ｐ変換処理部（現フィールドＩ／Ｐ変換部、前フィールドＩ／Ｐ変換部）２４に入力され、インターレース信号からプログレッシブ信号に変換される。上記プログレッシブ信号はＩ／Ｐ変換処理部２４からの出力後に分岐され、一方の信号は現フィールドのデータとして直接画像処理部１２へ入力されるが、他方の信号は一旦メモリ（データ遅延用メモリ）２５に格納され現フィールドのデータとは１フィールド遅れて画像処理部１２へ入力されることで前フィールドのデータとなる。
【００９９】
また、図１３の構成において、Ｉ／Ｐ変換処理部２４がｍフィールド分の画像データを用いてＩ／Ｐ変換処理を行なうものである場合、Ｉ／Ｐ変換処理部２４においてはｍフィールド分のフィールドメモリ（図示せず）が具備される。さらに、前フィールドのデータを格納するメモリ２５としては１フィールド分のフィールドメモリが用いられるため、全体のフィールドメモリの数はｍ＋１となり、メモリ削減によるコストダウンの効果は図１０の構成と同じとなる。しかしながら、図１２の構成では、Ｉ／Ｐ変換処理部２４をも現フィールドと前フィールドとで共有できるので、画像処理回路の回路構成が図１０の構成よりもさらに簡略化されるといった効果がある。
【０１００】
また、図２１に示すように、上記図１２における第1のＩ／Ｐ変換処理部２１’に代えて、現フィールドおよび前フィールドの画像データが同時に出力されるように工夫された専用の（すなわち、時系列比較専用の）Ｉ／Ｐ変換処理部２６を用いてもよい。上記Ｉ／Ｐ変換処理部２６では、図１２における第1のＩ／Ｐ変換処理部２１’とは異なり、出力される現フィールドおよび前フィールドの画像データにタイムラグが発生しない。このため、Ｉ／Ｐ変換処理部２６から出力される現フィールドおよび前フィールドの画像データを同期させるための図１３に示すような構成（すなわち、メモリ２５）が必要なくなり、画像処理回路の回路構成がさらに簡略化される。
【０１０１】
以上の説明においては、画像処理部１２は、時系列的なデータ比較を含むオーバーシュート駆動を例にとって説明したが、本発明の画像処理回路はこれに限定されるものではなく、空間的なデータ比較を含むホワイトバランス補正処理や、色補正処理を行なう画像処理回路に適用することも可能である。
【０１０２】
液晶パネルは、表示画素の透過率（階調）を変化させると波長分散のため、ＲＧＢ輝度のバランスが変化してしまう。そのため透過率の変化に対して白の色度座標が図１４の実線のような変化を示す。尚、図１４においては、縦軸及び横軸は色度座標を示しており、透過率を１０％から１００％まで変化させる間の複数のプロットを線で結んだものを図示している。図１４では、透過率を上げるに伴って色度が右上に向かって上昇していることが分かる。すなわち、明るくなるほど表示が黄色くなることを示している。
【０１０３】
しかし本来、透過率を変化させても色度座標は変化しないのが好ましい。そこで、透過率に応じてＲＧＢの階調電圧を独立に制御することにより、ＲＧＢ輝度のバランスを調整し、色度座標を変化させないようにする処理がホワイトバランス補正処理である。
【０１０４】
ホワイトバランス補正処理（ＷＢ補正処理）を実施する場合には、図１４の破線に示すように、表示画素の透過率（階調）を変化させても、色度座標の変化は殆ど発生しなくなることがわかる。
【０１０５】
液晶パネルによるカラー表示では、一つのカラー画素においてＲ，Ｇ，Ｂ各色の副画素が配列されているため、ホワイトバランス補正処理ではこれらの副画素における階調値の比較が必要である。但し、液晶パネルでは、単なる１カラー画素の色を周辺のカラー画素との関わり無しに補正すると、画像全体中でのバランスを崩すことがあるため、より高精細で鮮やかな表示を行なうには、隣接するカラー画素間（隣接する走査ライン上に存在するものを含む）での色比較を行い画像のバランスを考慮したホワイトバランス補正を行なう必要がある。
【０１０６】
このように、画像処理回路が空間的なデータ比較によるホワイトバランス補正処理を行なう場合であっても、該画像処理回路に入力される画像データがインターレース信号である場合には、隣接するライン同士でデータ比較しようとする時に、比較されるべき画像データの一部が同一フィールド内に存在しない場合があり、この場合には画像処理の精度が低くなる。
【０１０７】
これに対し、本発明の画像処理回路では、ホワイトバランス補正処理を行なう画像処理部の前にＩ／Ｐ変換処理を行なうことで、画像処理部ではデータの抜けの無いプログレッシブ信号を用いることができ、ホワイトバランス補正処理の精度を向上させることができる。
【０１０８】
また、通常の画像表示装置では、該画像表示の色再現範囲がデバイス特性によって、画像の送り手が想定している色再現範囲とは異なったものである場合が多い。このような画像表示装置で画像の表示を行うと送り手の想定している色とは異なった色が表示されてしまう。
【０１０９】
色補正処理は、上記問題を解決するための処理であり、色補正処理では各画素のＲＧＢ信号を参照し、ホワイトバランスを崩すこと無しにデバイス特性を補正されたＲＧＢ信号を出力することができる。もちろん、上記色補正処理を行っても画像表示装置の色再現範囲が変化するわけではないので、あくまでも、画像表示装置の色再現範囲内で補正するのみである。よって、画像表示装置の再現範囲以外の色に対して効果はないが、それ以内の色に対しては送り手の想定している色に近い色を再現することが可能である。
【０１１０】
上記色補正処理においても、Ｒ，Ｇ，Ｂ各色に対応して配列される副画素における階調値の比較が必要であり、空間的に連続する画素のデータ比較が含まれる（色補正処理では、時系列的なデータ比較が含まれる場合もある）。但し、上色補正処理でも、単なる１カラー画素の色を周辺のカラー画素との関わり無しに補正すると、画像全体中でのバランスを崩すことがあるため、より高精細で鮮やかな表示を行なうには、隣接するカラー画素間（隣接する走査ライン上に存在するものを含む）での色比較を行い画像のバランスを考慮した色補正を行なう必要がある。
【０１１１】
このため、該画像処理回路に入力される画像データがインターレース信号である場合には、隣接するライン同士でデータ比較しようとする時に、比較されるべき画像データの一部が同一フィールド内に存在しない場合があり、この場合には画像処理の精度が低くなる。
【０１１２】
したがって、色補正処理においても本発明を適用することにより、色補正処理を行なう画像処理部の前にＩ／Ｐ変換処理を行なうことで、画像処理部ではデータの抜けの無いプログレッシブ信号を用いることができ、色補正処理の精度を向上させることができる。
【０１１３】
次に、市販の液晶表示装置を用い、ＬＣＤ（Liquid Crystal Display）コントローラの前に本発明を適用した画像処理回路を搭載した画像処理装置の効果を調べた。上記画像処理装置の構成を図１５に示す。図１５の構成では、入力回路３１、Ｉ／Ｐ変換回路３２、ホワイトバランス処理回路３３、オーバーシュート駆動回路（ＯＳ駆動回路）３４、Ｐ／Ｉ変換回路３５、ＬＣＤコントローラ３６が備えられている。尚、ここでは、Ｉ／Ｐ変換回路３２がＩ／Ｐ変換手段に相当し、ホワイトバランス処理回路３３およびオーバーシュート駆動回路３４が画像処理手段に相当する。
【０１１４】
上記液晶表示装置の表示性能を確認するため、上記図１５の構成においてＩ／Ｐ変換回路３２、ホワイトバランス処理回路３３、オーバーシュート駆動回路３４、およびＰ／Ｉ変換回路３５を省略した画像処理装置を用いた従来構成と、上記図１５の構成の画像処理装置を用いた本発明の構成との表示特性を比較したところ、表１に示すように、応答速度が速く、動画表示にすぐれ、階調による色変化の少ない液晶表示装置が得られた。
【０１１５】
【表１】
2008187736.tif 000003
【図面の簡単な説明】
【０１１６】
【図１】本発明の一実施形態を示すものであり、画像処理回路の概略構成を示すブロック図である。
【図２】画像表示装置における液晶表示パネルの概略構成を示す説明図である。
【図３】上記液晶表示パネルの画素構成を示す回路図である。
【図４】上記画像処理回路におけるＩ／Ｐ変換処理を示す説明図である。
【図５】プログレッシブ信号による、時系列的なデータ比較を示す説明図である。
【図６】上記画像処理回路において好適でないＩ／Ｐ変換処理の一例を示す説明図である。
【図７】上記画像処理回路において好適でないＩ／Ｐ変換処理の他の例を示す説明図である。
【図８】上記画像処理回路の構成の一例を示すブロック図である。
【図９】上記画像処理回路の構成の他の例を示すブロック図である。
【図１０】図９の画像処理回路の具体的構成の一例を示すブロック図である。
【図１１】図９の画像処理回路の具体的構成の他の例を示すブロック図である。
【図１２】上記画像処理回路の構成のさらに他の例を示すブロック図である。
【図１３】上記画像処理回路の構成のさらに他の例を示すブロック図である。
【図１４】ホワイトバランス処理を行なった場合の、透過率と色度変化との関係を示すグラフである。
【図１５】本発明の画像処理回路を用いた画像処理装置の概略構成を示すブロック図である。
【図１６】従来の画像処理回路の構成を示すブロック図である。
【図１７】インターレース信号による、時系列的なデータ比較を示す説明図である。
【図１８】上記画像処理回路におけるＩ／Ｐ変換処理で演算されるラインの参照データの一例を示す説明図である。
【図１９】上記画像処理回路におけるＩ／Ｐ変換処理で演算されるラインの参照データの他の例を示す説明図である。
【図２０】上記画像処理回路におけるＩ／Ｐ変換処理で演算されるラインの参照データの他の例を示す説明図である。
【図２１】上記画像処理回路の図１２の構成とは異なる、さらに他の例を示すブロック図である。
【符号の説明】
【０１１７】
１１          Ｉ／Ｐ変換処理部（Ｉ／Ｐ変換手段）
１２          画像処理部（画像処理手段）
２１，２１’  第１のＩ／Ｐ変換処理部（現フィールドＩ／Ｐ変換部）
２２，２２’  第２のＩ／Ｐ変換処理部（前フィールドＩ／Ｐ変換部）
２１”        第１のＩ／Ｐ変換処理部（現フィールドＩ／Ｐ変換部，前フィー
ルドＩ／Ｐ変換部）
２３          共有メモリ（Ｉ／Ｐ変換処理に用いるメモリ）
２４          Ｉ／Ｐ変換処理部（現フィールドＩ／Ｐ変換部，前フィールドＩ
／Ｐ変換部）
２５          メモリ（データ遅延用メモリ）
３２          Ｉ／Ｐ変換回路（Ｉ／Ｐ変換手段）
３３          ホワイトバランス処理回路（画像処理手段）
３４          ＯＳ駆動回路（画像処理手段）
【図１】
2008187736.tif 000004
【図２】
2008187736.tif 000005
【図３】
2008187736.tif 000006
【図４】
2008187736.tif 000007
【図５】
2008187736.tif 000008
【図６】
2008187736.tif 000009
【図７】
2008187736.tif 000010
【図８】
2008187736.tif 000011
【図９】
2008187736.tif 000012
【図１０】
2008187736.tif 000013
【図１１】
2008187736.tif 000014
【図１２】
2008187736.tif 000015
【図１３】
2008187736.tif 000016
【図１４】
2008187736.tif 000017
【図１５】
2008187736.tif 000018
【図１６】
2008187736.tif 000019
【図１７】
2008187736.tif 000020
【図１８】
2008187736.tif 000021
【図１９】
2008187736.tif 000022
【図２０】
2008187736.tif 000023
【図２１】
2008187736.tif 000024